(57)【要約】【課題】逆Ｖ字状として布団干しに使用することができ、姿勢維持部材による姿勢維持を解除する別体の操作部材を備える必要がなく、操作性が良い寝床用敷き板を提供する。【解決手段】簀の子２，３を連結部材４により連結して構成され、簀の子２，３を水平展開した使用姿勢及び連結部材４が連結される辺の対辺が近づくように簀の子２，３を折り畳んだ折り畳み姿勢にすることができ、姿勢維持部材１０の基端部１１が簀の子２の前記対辺から内方へ離間した水平支軸により軸支され、逆Ｖ字状に立てた姿勢では姿勢維持部材１０の先端部１２を簀の子２の裏面から離れる方向へ回動させて簀の子３の前記対辺を支持し、先端部１２を簀の子２の裏面から離れる方向へ回動させた状態では基端部１１の一部が簀の子２の表面から突出し、姿勢維持部材１０を簀の子２に添わせた状態では基端部１１の表面が簀の子２の表面と面一になる。【選択図】図３
0003165654.tif 000002
【実用新案登録請求の範囲】
【請求項１】
ほぼ矩形状でほぼ同じ大きさの二枚の簀の子の一辺同士を連結部材により連結して構成され、前記連結部材が連結される辺の対辺が最も離れるように前記二枚の簀の子をほぼ水平に展開した使用姿勢及び前記対辺が最も近づくように前記二枚の簀の子を折り畳んだ折り畳み姿勢に姿勢変更可能であり、姿勢維持部材により逆Ｖ字状に立てた姿勢を維持することができる寝床用敷き板であって、
前記姿勢維持部材の基端部が一方の簀の子の前記対辺から内方へ離間した位置の水平支軸により軸支され、前記姿勢維持部材の先端部は前記一方の簀の子の裏面から離れる方向へ回動可能であり、前記逆Ｖ字状に立てた姿勢では、前記先端部を前記一方の簀の子の裏面から離れる方向へ回動させて他方の簀の子の前記対辺を支持し、
前記先端部を前記一方の簀の子の裏面から離れる方向へ回動させた状態では、前記基端部の一部が前記一方の簀の子の表面から突出し、前記姿勢維持部材を前記一方の簀の子に添わせた状態では、前記基端部の表面が前記一方の簀の子の表面と面一になることを特徴とする寝床用敷き板。
【請求項２】
前記姿勢維持部材を前記一方の簀の子に添わせた状態で掛止する掛止手段を備えてなる請求項１記載の寝床用敷き板。
【考案の詳細な説明】
【技術分野】
【０００１】
本考案は、逆Ｖ字状に立てて布団干しとして使用することができる寝床用敷き板に関するものである。
【背景技術】
【０００２】
二枚の簀の子をヒンジ部材又は帯状部材により連結して構成され、床面に広げて設置してその上に敷き布団を敷いて使用することができるとともに折り畳んで運搬又は収納することができ、さらに逆Ｖ字状（山形状）に立てて布団干しとしても使用することができる寝床用敷き板がある（例えば、特許文献１〜３参照。）。
このような寝床用敷き板を布団干しとして使用する際における逆Ｖ字状の姿勢を維持する姿勢維持部材として、一方の簀の子の下端（外端）に取り付けたヒンジまわりに回動する支持枠をこの簀の子の裏側に備え、支持枠を床面に平行に展開してその先端側に取り付けた支持受け部材により他方の簀の子の下端を受けるもの（特許文献１参照。）、一方の簀の子の下方（外方）の一部分を別体構造の支持体として下端（外端）に取り付けたヒンジまわりに回動可能に構成し、支持体を床面に平行に展開してその桟により他方の簀の子の下端を受けるもの（特許文献２参照。）、先端に棒状部材を取り付けたベルトの基端部を一方の簀の子の上下方向の中間位置に固定し、ベルトの幅よりも狭い入口部から幅広となった小判形状の空間を有する切欠きを他方の簀の子の上下方向の中間位置の桟（表面側板部材）に形成し、ベルトを手で丸める又は折り畳むようにして入口部から切欠き内へ収容して切欠きを通過できない棒状部材を他方の簀の子の外側に位置させてなるもの（特許文献３参照。）等がある。
【先行技術文献】
【特許文献】
【０００３】
【特許文献１】特開２００３−０３３２５４号公報
【特許文献２】特開２００４−０３３３６２号公報
【特許文献３】特開２００６−３３４０７３号公報
【考案の概要】
【考案が解決しようとする課題】
【０００４】
以上のような従来の寝床用敷き板を逆Ｖ字状に立てて布団干しとして使用した後に、折り畳んで収納又は床面に広げて設置するために姿勢維持部材による姿勢維持を解除する操作は、特許文献１の寝床用敷き板では、支持受け部材が簀の子の下端を受けている状態から該下端を支持受け部材から外した後、支持枠先端の支持受け部材の二つの挿通孔と二枚の簀の子間のヒンジ部材の回転ヒンジ部の二つの挿通孔に輪通してあるループ状引き紐を上方へ引き上げることにより行われ、特許文献２の寝床用敷き板においても同様の紐を用いて、すわなち、支持体の桟が簀の子の下端を受けている状態から該下端を桟から外した後、支持体の先端左右両側に取り付けて一方の簀の子の表面側へ通した紐を引き出すことにより行われる。
したがって、特許文献１及び２の寝床用敷き板では、姿勢維持部材による姿勢維持を解除する操作を行うために、姿勢維持部材と別体の操作部材としての紐を支持枠（支持体）に取り付け、さらに紐を操作することができるように簀の子の表側に紐を引き出しておく必要がある。
【０００５】
これに対して特許文献３の寝床用敷き板における姿勢維持部材による姿勢維持を解除する操作は、ベルトを手で丸める又は折り畳むようにして切欠き内のベルトを入口部を通して外部に移動させることにより行われることから、姿勢維持部材と別体の操作部材を備える必要がない。
しかしながら、姿勢維持部材による姿勢維持を解除する際に、例えば幅方向両端２箇所に設けた各々のベルトを手で丸める又は折り畳むようにして入口部を通して外部に移動させる操作を行う必要があるため、操作性を良くするという観点からは改良の余地がある。
【０００６】
そこで本考案が前述の状況に鑑み、解決しようとするところは、逆Ｖ字状に立てて布団干しとして使用することができ、姿勢維持部材による姿勢維持を解除する操作部材を姿勢維持部材と別に備える必要がないにもからわらず操作性が良い寝床用敷き板を提供する点にある。
【課題を解決するための手段】
【０００７】
本考案に係る寝床用敷き板は、前記課題解決のために、ほぼ矩形状でほぼ同じ大きさの二枚の簀の子の一辺同士を連結部材により連結して構成され、前記連結部材が連結される辺の対辺が最も離れるように前記二枚の簀の子をほぼ水平に展開した使用姿勢及び前記対辺が最も近づくように前記二枚の簀の子を折り畳んだ折り畳み姿勢に姿勢変更可能であり、姿勢維持部材により逆Ｖ字状に立てた姿勢を維持することができる寝床用敷き板であって、前記姿勢維持部材の基端部が一方の簀の子の前記対辺から内方へ離間した位置の水平支軸により軸支され、前記姿勢維持部材の先端部は前記一方の簀の子の裏面から離れる方向へ回動可能であり、前記逆Ｖ字状に立てた姿勢では、前記先端部を前記一方の簀の子の裏面から離れる方向へ回動させて他方の簀の子の前記対辺を支持し、前記先端部を前記一方の簀の子の裏面から離れる方向へ回動させた状態では、前記基端部の一部が前記一方の簀の子の表面から突出し、前記姿勢維持部材を前記一方の簀の子に添わせた状態では、前記基端部の表面が前記一方の簀の子の表面と面一になることを特徴とする。
【０００８】
このような構成によれば、姿勢維持部材の基端部が一方の簀の子の連結部材が連結される辺の対辺から内方へ離間した位置の水平支軸により軸支されており、姿勢維持部材の先端部を一方の簀の子の裏面から離れる方向へ回動させた状態では、前記基端部の一部が一方の簀の子の表面から突出することから、この突出部を踏み下げることにより、先端部を一方の簀の子の裏面に近づけるように回動させて姿勢維持部材を一方の簀の子に添わせることができる。
よって、逆Ｖ字状に立てた姿勢を姿勢維持部材により維持して布団干しとして使用した後、姿勢維持部材の先端部から他方の簀の子の下端を外し、突出部を踏み下げることにより、姿勢維持部材とは別の操作部材を備えることなく姿勢維持部材による姿勢維持を解除する操作を行って、容易かつ確実に折り畳み姿勢に姿勢変更することができる。
また、姿勢維持部材を一方の簀の子に添わせた状態では、姿勢維持部材の基端部の表面が一方の簀の子の表面と面一になって突出部がなくなるため、折り畳み姿勢にして収納する際や、二枚の簀の子をほぼ水平に展開した使用姿勢にして敷き布団を敷いて使用する際に邪魔になることがない。
【０００９】
ここで、前記姿勢維持部材を前記一方の簀の子に添わせた状態で掛止する掛止手段を備えてなると好ましい。
このような構成によれば、逆Ｖ字状に立てた姿勢から他の姿勢に姿勢変更する際等に、突出部を踏み下げて又は手で操作して姿勢維持部材を一方の簀の子に添わせた状態にすると、掛止手段により掛止されて姿勢維持部材が一方の簀の子に一体化した状態となる。
よって、使用姿勢から折り畳み姿勢に姿勢変更する際又は折り畳み姿勢から使用姿勢に姿勢変更する際に、姿勢維持部材が回動して操作の邪魔になることがないため、姿勢維持部材がない二つ折りの寝床用敷き板（二つ折りの簀の子）と同様の操作で前記姿勢変更を容易かつ確実に行うことができる。
【考案の効果】
【００１０】
以上のように、本考案に係る寝床用敷き板によれば、一方の簀の子に取り付けられた姿勢維持部材を一方の簀の子の裏面から離れる方向へ回動させて先端部により他方の簀の子の下端を支持した逆Ｖ字状に立てた姿勢を維持して布団干しとして使用することができ、姿勢維持部材の先端部から他方の簀の子の下端を外し、突出部を踏み下げることにより、姿勢維持部材とは別の操作部材を備えることなく姿勢維持部材による姿勢維持を解除する操作を行って容易かつ確実に折り畳み姿勢に姿勢変更することができるため、姿勢維持部材による姿勢維持を解除する操作部材を姿勢維持部材と別に備える必要がないにもからわらず操作性が良いという顕著な効果を奏する。
【図面の簡単な説明】
【００１１】
【図１】本考案の実施の形態に係る寝床用敷き板を構成する二枚の簀の子をほぼ水平に展開した使用姿勢にして床面に広げた状態を示す斜視図である。
【図２】同底面図である。
【図３】布団干しとして使用するために逆Ｖ字状に立てた状態を示しており、（ａ）は姿勢維持部材が取り付けられた簀の子側から見た斜視図、（ｂ）は姿勢維持部材が取り付けられていない簀の子側から見た斜視図である。
【図４】（ａ）姿勢維持部材を簀の子に添わせて掛止した状態を示す縦断側面図、（ｂ）は姿勢維持部材を回動させて先端部を簀の子から離反させた状態を示す縦断側面図である。
【図５】姿勢維持部材単体の斜視図である。
【図６】寝床用敷き板を逆Ｖ字状に立てた状態から二枚の簀の子を重ね合わせるように折り畳んだ折り畳み姿勢にするまでの手順を示す縦断側面図であり、（ａ）は逆Ｖ字状に立てて姿勢維持部材により姿勢を維持している状態、（ｂ）は簀の子の下端を姿勢維持部材の先端部から外した状態、（ｃ）は姿勢維持部材を回動させて収納している状態、（ｄ）は折り畳んだ状態を示している。
【考案を実施するための形態】
【００１２】
次に本考案の実施の形態を添付図面に基づき詳細に説明するが、本考案は、添付図面に示された形態に限定されず実用新案登録請求の範囲に記載の要件を満たす実施形態の全てを含むものである。
なお、本明細書においては、図１及び図２に示す寝床用敷き板１を床面に広げた使用姿勢において、寝床用敷き板１の長手方向を前後方向、寝床用敷き板１の短手方向を左右方向とし、一方の簀の子２が他方の簀の子３の前方に位置するものとし、前方に向かって左右をいうものとする。
また、寝床用敷き板１を構成する各部材についても、寝床用敷き板１の姿勢（前記使用姿勢並びに後述する折り畳み姿勢及び逆Ｖ字状に立てた姿勢）によって向きが異なるものとなるが、寝床用敷き板１が前記使用姿勢である場合を基準にして上述の前後左右方向の定義を用いる。
【００１３】
図１及び図２に示すように、本考案の実施の形態に係る寝床用敷き板１は、ほぼ矩形状で且つほぼ同じ大きさの二枚の簀の子２，３の一辺同士（前側の簀の子２の後辺と後側の簀の子３の前辺）を連結部材である帯状部材４，４，…で連結したものであり、図１のように、前後方向に最も長くなるように、すなわち帯状部材４，４，…が連結される辺の対辺が最も離れるように、二枚の簀の子２，３をほぼ水平に展開した使用姿勢にしたときには、その上に敷き布団を敷いて使用することができる。
また、図６（ｄ）に示す二枚の簀の子２，３の裏面（底面）同士を重ね合わせて折り畳んだ折り畳み姿勢、又は、二枚の簀の子２，３の表面同士を重ね合わせて折り畳んだ折り畳み姿勢に姿勢変更したとき、すなわち二枚の簀の子２，３の前記対辺が最も近づくように折り畳んだ折り畳み姿勢に姿勢変更したときには、家具と家具との隙間に収納したり、壁に立て掛ける等、小さなスペースでも収納することができる。
さらに、図３及び図６（ａ）に示すように、帯状部材４，４，…を上端に位置させた二枚の簀の子２，３を逆Ｖ字状に立てた姿勢（山形状の傾斜姿勢）に姿勢変更したときには、この姿勢を姿勢維持部材１０により維持することができ、布団を載せて布団干しとして使用することができる。
【００１４】
図１及び図２に示すように、簀の子２及び３は、左右方向に延びる表面側板部材（桟）５Ａ，５Ｂ，５Ｃ，…，６Ａ，６Ｂ，６Ｃ，…を前後方向に所定間隔を置いて並設して表面を形成しており、前側の簀の子２では、帯状部材４，４，…が連結される後辺側（後側の簀の子３に隣接する辺側）の表面側板部材５Ａ及び帯状部材４，４，…が連結される辺の対辺である前辺側の表面側板部材５Ｂの間に、表面側板部材５Ｃ，５Ｃ，…を並設し、後側の簀の子３では、帯状部材４，４，…が連結される前辺側（前側の簀の子２に隣接する辺側）の表面側板部材６Ａ及び帯状部材４，４，…が連結される辺の対辺である後辺側の表面側板部材６Ｂの間に、表面側板部材６Ｃ，６Ｃ，…を並設している。
ここで、表面側板部材５Ｃ，５Ｃ，…及び６Ｃ，６Ｃ，…には、左右方向に延びる凹部（溝）を形成するとともに表裏方向（上下方向）に貫通した左右方向に長い通気孔２１，２１，…を形成しているが、通気孔として、長孔ではなく多数の丸孔を形成してもよい。
【００１５】
また、表面側板部材５Ａ，５Ｂ，５Ｃ，…の裏面に前後方向に延びる裏面側板部材７，７，…を、表面側板部材６Ａ，６Ｂ，６Ｃ，…の裏面に前後方向に延びる裏面側板部材８，８，…を取り付けるとともに、裏面側板部材７，７，…及び８，８，…の裏面には、所定間隔を置いて矩形板状の足部材１６，１６，…を取り付けている。
さらに、裏面側板部材７，７間及び裏面側板部材８，８間には、表面側板部材５Ａ，５Ｂ，５Ｃ，…，６Ａ，６Ｂ，６Ｃ，…の裏面にブロック状の足部材１７，１７，…を取り付けている。
このような足部材１６，１６，…及び１７，１７，…を設けることにより、寝床用敷き板１が床面と接触する面積を小さくすることができ、すなわち、寝床用敷き板１が接触する床面と裏面側板部材７，７，…及び８，８，…との間に多数の空間（隙間）を設けることができるため、寝床用敷き板１の通気性が向上する。
【００１６】
さらにまた、図３並びに図４（ａ）及び（ｂ）に示すように、連結部材である帯状部材４，４，…を上端に位置させた二枚の簀の子２，３を逆Ｖ字状に立てた姿勢において、二枚の簀の子２，３の下端それぞれの左右両端部に、床面と接触して回転可能な移動用の回転体１９を左右の支持体１８，１８間に取り付けている。
したがって、寝床用敷き板１を移動するときに、床面を引きずったり持ち上げたりすることなく僅かな力で移動させることができ、床面を傷つけることがない。
また、図６（ｄ）に示す折り畳み姿勢においても、回転体１９を床面に接触させることにより、寝床用敷き板１を僅かな力で移動することができる。
なお、ローラー状の回転体１９，１９，…ではなく、球状の回転体としてもよい。
【００１７】
このように構成される二枚の簀の子２，３の一辺同士を連結する連結部材である帯状部材４，…は、可撓性（柔軟性）を有する材料、例えば布（革、合成皮革、軟質合成樹脂等でもよい）からなり、帯状部材４，４，…の前後端部が前後の固定部材９Ａ，９Ｂにより隣接する表面側板部材５Ａ，６Ａの裏面側に固定されるため、上述のような寝床用敷き板１の姿勢変更が可能になる。
【００１８】
次に、姿勢維持部材１０の構成例について説明する。
図４及び図５に示すように、姿勢維持部材１０は、基端部の踏み板１１と先端部の受け板１２とを左右の連結板１３，１３で繋いだ枠状のものであり、左右の連結板１３，１３の基端部の先端よりも内方（左右の連結板１３，１３の前辺よりも後方）へ離間した左右外面に水平支軸を１０Ａ，１０Ａを突設している。
また、姿勢維持部材１０の水平支軸１０Ａ，１０Ａは、図２及び図４（ｂ）に示す簀の子２の帯状部材４，４，…が連結される辺の対辺から内方（表面側板部材５Ｂの前辺から後方）へ離間した位置の凹部に挿入されるため、図４に示すように姿勢維持部材１０の先端部１２は簀の子２の裏面から離れる方向へ回動可能に構成される。
そして、姿勢維持部材１０の先端部を簀の子２の裏面から離れる方向へ回動して受け板１２の下側の連結板１３，１３を接地させ、図３（ａ）及び図６（ａ）に示すように前記二枚の簀の子２，３を逆Ｖ字状に立てた姿勢では、姿勢維持部材１０の基端部（踏み板１１及び連結板１３，１３の基端部）の一部が簀の子２の表面から突出する。
【００１９】
さらに、図５に示すように、姿勢維持部材１０の連結板１３，１３には、受け板１２よりも前側位置の上面に凸部１４，１４が形成され、凸部１４，１４の前側に掛止手段である面ファスナー体１５，１５が貼着され、面ファスナー体１５，１５に対応する位置の簀の子２の裏面には掛止手段である図示しない面ファスナー体が貼着される。
ここで、面ファスナー体は、例えば貼り付く面同士の一方がフック状に起毛されたフック面であり、他方がループ状に密集して起毛されたループ面である。
したがって、図４（ａ）のように姿勢維持部材１０を簀の子２に添わせた状態では、面ファスナー体１５，１５が簀の子２の裏面の前記面ファスナー体に接触して貼り付くことから、姿勢維持部材１０は簀の子２に掛止されるため、姿勢維持部材１０を簀の子２に添わせた状態が保持される。
このように姿勢維持部材１０が簀の子２に掛止された状態では、図１及び図４（ａ）に示すように、姿勢維持部材１０の基端部の表面（踏み板１１の表面）が簀の子２（表面側板部材５Ｂ）の表面と面一になる。
【００２０】
次に、寝床用敷き板１の姿勢変更動作について説明する。
先ず、前記使用姿勢から前記二枚の簀の子２，３を逆Ｖ字状に立てた姿勢への姿勢変更について説明する。
図１に示す前記使用姿勢から二枚の簀の子２，３を逆Ｖ字状に立てるように操作した例えば図４（ａ）に示す状態において、簀の子２の表面側から姿勢維持部材１０の受け板１２の表面を押して姿勢維持部材１０の面ファスナー体１５，１５を簀の子２の裏面の前記面ファスナー体から剥がすと、図４（ｂ）に示すように姿勢維持部材１０は水平支軸１０Ａ，１０Ａまわりに簀の子２の裏面から離れる方向へ回動し、例えば図６（ｂ）に示すように受け板１２の下側の連結板１３，１３が接地する。
この状態で受板１２と凸部１４，１４との間に簀の子３の下端（表面側板部材６Ｂの下端）を入れ、連結板１３，１３に簀の子３を載せると、図６（ａ）に示すように連結板１３，１３が簀の子３に近づくにしたがって低くなるように傾斜しているため、簀の子３の下端は受け板１２の前面（簀の子２に対向する面）に当止され、図３及び図６（ａ）に示す前記二枚の簀の子２，３を逆Ｖ字状に立てた姿勢が維持される。
【００２１】
ここで、図１及び図２に示すように、簀の子３の表面側板部材６Ｂには後側に突出する突片２０が取り付けられていることから、図３及び図６（ａ）に示す二枚の簀の子２，３を逆Ｖ字状に立てた姿勢においては簀の子３の下端から下側に突片２０が突出しているため、姿勢維持部材１０から簀の子３がより外れにくい構成となっている。
なお、姿勢維持部材１０の連結板１３，１３に設けた凸部１４，１４は、連結板１３，１３が簀の子３に近づくにしたがって低くなるように傾斜しており、簀の子３の下端が受け板１２の前面に当止されるため、必須なものではない。
【００２２】
次に、前記二枚の簀の子２，３を逆Ｖ字状に立てた姿勢から前記折り畳み姿勢への姿勢変更について説明する。
図６（ａ）に示す前記二枚の簀の子２，３を逆Ｖ字状に立てた姿勢において、簀の子３の下端を図中矢印Ａのように移動させて姿勢維持部材１０の先端部の受け板１２及び連結板１３，１３から外した図６（ｂ）に示す状態にする。
この状態で姿勢維持部材１０の踏み板１１を図６（ｂ）の矢印Ｂのように踏み下げると、姿勢維持部材１０は図中矢印Ｃのように回動し、さらに図６（ｃ）の矢印Ｄのように回動して簀の子２に添った状態となり、この状態では前記掛止手段により姿勢維持部材１０は簀の子２に掛止される。
この状態では、図６（ｄ）のような二枚の簀の子２，３の裏面同士を重ね合わせた折り畳み姿勢、又は、二枚の簀の子２，３の表面同士を重ね合わせて折り畳んだ折り畳み姿勢に容易に姿勢変更することができる。
【００２３】
また、前記折り畳み姿勢から前記使用姿勢への姿勢変更及び前記使用姿勢から前記折り畳み姿勢への姿勢変更は、前記掛止手段により姿勢維持部材１０が簀の子２に一体化した状態となっていることから姿勢維持部材１０が回動して操作の邪魔になることがないため、姿勢維持部材１０がない二つ折りの寝床用敷き板（二つ折りの簀の子）と同様の操作で容易かつ確実に行うことができる。
【００２４】
以上のような寝床用敷き板１の構成によれば、姿勢維持部材１０の基端部が一方の簀の子２の連結部材４，４，…が連結される辺の対辺から内側へ離間した位置の水平支軸１０Ａ，１０Ａにより軸支されており、姿勢維持部材１０の先端部の受け板１２を一方の簀の子２の裏面から離れる方向へ回動させた状態では、姿勢維持部材１０の基端部の踏み板１１の一部が一方の簀の子２の表面から突出することから、踏み板１１を踏み下げることにより、受け板１２を一方の簀の子２の裏面に近づけるように回動させて姿勢維持部材１０を一方の簀の子２に添わせることができる。
よって、逆Ｖ字状に立てた姿勢を姿勢維持部材１０により維持して布団干しとして使用した後、姿勢維持部材１０の先端部の受け板１２及び連結板１３，１３から他方の簀の子３の下端を外し、踏み板１１を踏み下げることにより、姿勢維持部材１０とは別の操作部材を備えることなく姿勢維持部材１０による姿勢維持を解除する操作を行って、容易かつ確実に折り畳み姿勢に姿勢変更することができる。
また、姿勢維持部材１０を一方の簀の子２に添わせた状態では、姿勢維持部材１０の基端部の踏み板１１の表面が一方の簀の子２の表面と面一になって突出部がなくなるため、折り畳み姿勢にして収納する際や、二枚の簀の子２，３をほぼ水平に展開した使用姿勢にして敷き布団を敷いて使用する際に邪魔になることがない。
【００２５】
以上の説明では、二枚の簀の子２，３の一辺同士を連結する連結部材が帯状部材４，４，…である場合を示したが、連結部材は例えば金属製のヒンジ部材であってもよい。
また、姿勢維持部材１０は、図５に示すような枠状のものではなく棒状等の他の形態であってもよく、複数の姿勢維持部材を備えるようにしてもよい。
【符号の説明】
【００２６】
１  寝床用敷き板
２，３  簀の子
４  帯状部材（連結部材）
５Ａ，５Ｂ，５Ｃ，６Ａ，６Ｂ，６Ｃ  表面側板部材
７，８  裏面側板部材
９Ａ，９Ｂ  固定部材
１０  姿勢維持部材
１０Ａ  水平支軸
１１  踏み板（基端部）
１２  受け板（先端部）
１３  連結板
１４  凸部
１５  面ファスナー体（掛止手段）
１６，１７  足部材
１８  支持体
１９  回転体
２０  突片
２１  通気孔
【図１】
0003165654.tif 000003
【図２】
0003165654.tif 000004
【図３】
0003165654.tif 000005
【図４】
0003165654.tif 000006
【図５】
0003165654.tif 000007
【図６】
0003165654.tif 000008